(57)【要約】      （修正有）【課題】装着時に違和感のない自然な装着感を得て、鼻マスクの鼻への装着性を向上させることができる鼻マスクを提供する。【解決手段】鼻中隔に挟着される弾性をもつ棒状の挿入片１０と、可撓性をもつ複数の羽部２２・２４とを有する傘状の支持部材２０と、前記挿入片１０の先端部１３に取り付けられて、この先端部１３の一部と前記支持部材２０とに挟まれながら、この支持部材２０の外周部よりも内側で当該支持部材２０に沿って配置されるフィルタ３０とを備える鼻マスクを構成した。【選択図】図５
0003153554.tif 000002
【実用新案登録請求の範囲】
【請求項１】
鼻（５０）への装着時に鼻口（５１）に先端側から挿入されて、空気中の花粉や塵埃などの鼻腔（５３）への侵入を防止するために使用される鼻マスク（１）であって、
円弧状の基部（１１）と、この基部（１１）の二つの開放端から先端側に向かって延出されて互いに近接する方向に張り出す一対の挟着部（１２）と、この各挟着部（１２）側から先端側に向かって延出されて互いに近接する方向に傾斜する一対の先端部（１３）とを有し、この一対の挟着部（１２）で鼻中隔（５２）に挟着される弾性をもつ棒状の挿入片（１０）と、
円盤状の基部（２１）と、この基部（２１）から放射状に突出される可撓性をもつ複数の羽部（２２・２４）とを有し、この基部（２１）が前記挿入片（１０）の先端部（１３）に取り付けられて、互いに近接する方向に傾斜する一対の傘状の柔軟な支持部材（２０）と、
前記挿入片（１０）の先端部（１３）に取り付けられて、この先端部（１３）の一部と前記支持部材（２０）とに挟まれながら、この支持部材（２０）の外周部よりも内側で当該支持部材（２０）に沿って配置されるフィルタ（３０）とを備える鼻マスク。
【請求項２】
前記フィルタ（３０）は、吸水性を有するフィルタを含む、二層または三層のフィルタで構成する請求項１に記載の鼻マスク。
【請求項３】
請求項１または請求項２に記載の鼻マスク（１）を収納するケース（４０）であって、
一面を開口する箱状のケース本体（４１）と、一面を開口する箱状の蓋体（４２）とをヒンジ部（４０ａ）により連結して、このケース本体（４１）の開口を前記蓋体（４２）により開閉可能とし、
一つまたは複数の略平板状の取付壁（４３）を前記ケース本体（４１）の開口と対向する面に立設して、前記鼻マスク（１）における挿入片（１０）の一対の挟着部（１２）と嵌合可能な一対の嵌合溝（４３ａ）を、この取付壁（４３）の前記開口側端面に形成し、
一つまたは複数の略平板状の保持壁（４４）を前記蓋体（４２）の開口と対向する面に立設して、この保持壁（４４）の開口側端面を前記ケース本体（４１）の取付壁（４３）の開口側端面と当接可能とし、
前記挿入片（１０）の一対の挟着部（１２）を前記取付壁（４３）の一対の嵌合溝（４３ａ）に嵌合させたうえで、前記ケース本体（４１）の開口が前記蓋体（４２）により閉じられたとき、前記保持壁（４４）の開口側端面を前記ケース本体（４１）の取付壁（４３）の開口側端面に当接させて、この挿入片（１０）の一対の挟着部（１２）を当該取付壁（４３）と保持壁（４４）とで挟み、前記鼻マスク（１）を所定位置に保持するケース。
【考案の詳細な説明】
【技術分野】
【０００１】
本考案は、鼻への装着時に鼻口に挿入されて、空気中の花粉や塵埃などの鼻腔への侵入を防止するために使用される鼻マスク、及び鼻マスクを収納するケースに関する。
【背景技術】
【０００２】
従来、鼻への装着時に鼻口に挿入されて、空気中の花粉や塵埃などの鼻腔への侵入を防止するために使用される鼻マスクは公知となっている。このような鼻マスクとして、例えば、特許文献１においては、鼻中隔に挟着されるＵ字形状の取り付け軸と、取り付け軸の各先端側に取り付けられる二層のフィルタと、取り付け軸の各先端側に取り付けられて当該二層のフィルタに挟まれるセルローススポンジとを備えた鼻マスクが開示されている。
【先行技術文献】
【特許文献】
【０００３】
【特許文献１】国際公開第ＷＯ２００３／０９７１６８号公報
【考案の概要】
【考案が解決しようとする課題】
【０００４】
特許文献１に開示されるような鼻マスクにおいては、当該鼻マスクを鼻に装着したとき、二層のフィルタの全外周部が鼻腔の内面に接触するため、装着感に違和感が生じる可能性があった。
【０００５】
そこで本考案は、装着時に違和感のない自然な装着感を得て、鼻マスクの鼻への装着性を向上させることができる鼻マスクを提供することを目的とする。
【課題を解決するための手段】
【０００６】
本考案の解決しようとする課題は以上の如くであり、次にこの課題を解決するための手段を説明する。
【０００７】
即ち、請求項１においては、鼻への装着時に鼻口に先端側から挿入されて、空気中の花粉や塵埃などの鼻腔への侵入を防止するために使用される鼻マスクであって、円弧状の基部と、この基部の二つの開放端から先端側に向かって延出されて互いに近接する方向に張り出す一対の挟着部と、この各挟着部側から先端側に向かって延出されて互いに近接する方向に傾斜する一対の先端部とを有し、この一対の挟着部で鼻中隔に挟着される弾性をもつ棒状の挿入片と、円盤状の基部と、この基部から放射状に突出される可撓性をもつ複数の羽部とを有し、この基部が前記挿入片の先端部に取り付けられて、互いに近接する方向に傾斜する一対の傘状の柔軟な支持部材と、前記挿入片の先端部に取り付けられて、この先端部の一部と前記支持部材とに挟まれながら、この支持部材の外周部よりも内側で当該支持部材に沿って配置されるフィルタとを備えるものとする。
【０００８】
請求項２においては、前記フィルタは、吸水性を有するフィルタを含む、二層または三層のフィルタで構成するものとする。
【０００９】
請求項３においては、請求項１または請求項２に記載の鼻マスクを収納するケースであって、一面を開口する箱状のケース本体と、一面を開口する箱状の蓋体とをヒンジ部により連結して、このケース本体の開口を前記蓋体により開閉可能とし、一つまたは複数の略平板状の取付壁を前記ケース本体の開口と対向する面に立設して、前記鼻マスクにおける挿入片の一対の挟着部と嵌合可能な一対の嵌合溝を、この取付壁の前記開口側端面に形成し、一つまたは複数の略平板状の保持壁を前記蓋体の開口と対向する面に立設して、この保持壁の開口側端面を前記ケース本体の取付壁の開口側端面と当接可能とし、前記挿入片の一対の挟着部を前記取付壁の一対の嵌合溝に嵌合させたうえで、前記ケース本体の開口が前記蓋体により閉じられたとき、前記保持壁の開口側端面を前記ケース本体の取付壁の開口側端面に当接させて、この挿入片の一対の挟着部を当該取付壁と保持壁とで挟み、前記鼻マスクを所定位置に保持するものとする。
【考案の効果】
【００１０】
本考案の効果として、以下に示すような効果を奏する。
【００１１】
請求項１においては、鼻マスクを鼻に装着したとき、フィルタまたは支持部材の全外周部が鼻腔の内面に接触するのではなく、支持部材の一部、即ち羽部の突出側のみが鼻腔の内面に接触することとなる。したがって、鼻マスクの装着時に違和感のない自然な装着感を得て、鼻マスクの鼻への装着性を向上させることができる。
【００１２】
そのうえ、フィルタおよび支持部材が鼻中隔寄りに配置されることとなる。したがって、フィルタおよび支持部材を鼻口に挿入しやすくすることができる。同時に、鼻口に挿入された挿入片を鼻中隔に確実に挟着させて、鼻マスクを鼻口から抜け落ちにくくすることができる。
【００１３】
請求項２においては、鼻マスクを鼻に装着したとき、鼻水を吸水性を有するフィルタにより吸収することが可能となる。したがって、鼻水が出た場合に鼻マスクの装着感が悪化することを防止することができる。しかも、鼻水が鼻口から外部へ漏出することを防止することができる。
【００１４】
請求項３においては、鼻マスクをケースに収納した状態では、フィルタや支持部材の羽部にゴミなどが付着しなくなる。したがって、鼻マスクをそのフィルタや支持部材の羽部にゴミなどが付着した状態で使用せずに済み、鼻マスクを鼻に装着したとき、ゴミなどの付着による不快感が生じるのを防止することができる。
【００１５】
そのうえ、鼻マスクを取付壁に対して簡単に着脱して、複数の鼻マスクをケース内にコンパクトに収納することができる。また、ケースが持ち運ばれる際などに、鼻マスクがケース内で移動して変形することを防止することができる。
【図面の簡単な説明】
【００１６】
【図１】鼻マスクの構成を示す正面図。
【図２】鼻マスクの構成を示す側面図。
【図３】鼻マスクの構成を示す平面図。
【図４】鼻マスクの構成を示す底面図。
【図５】鼻マスクの構成を示す正面断面図。
【図６】鼻マスクにおける支持部材およびフィルタの挿入片への取付状態を示す断面図。（ａ）フィルタを二層のフィルタで構成した場合の図。（ｂ）フィルタを三層のフィルタで構成した場合の図。
【図７】鼻マスクの鼻への装着状態を示す図。
【図８】ケース本体の開口を開いたときのケースの構成を示す斜視図。
【図９】鼻マスクの取付壁への取付状態を示す図。
【図１０】鼻マスクをケースに収納したときの当該鼻マスクの保持状態を示す端面図。
【考案を実施するための形態】
【００１７】
以下、本考案の実施の形態について、詳細に説明する。
【００１８】
本考案の一実施形態に係る鼻マスク１は、図７に示すように、鼻５０への装着時に先端側から鼻口５１に挿入されて、空気中の花粉や塵埃などが鼻腔５３に侵入するのを防止するために使用される。図１から図６に示すように、鼻マスク１は、挿入片１０と、支持部材２０と、フィルタ３０とで構成される。挿入片１０および支持部材２０は、鼻マスク１の鼻５０への装着時に見た目が自然となるように、透明、半透明または肌と同色の樹脂製部材とされる。
【００１９】
挿入片１０は、全体的にＵ字形状を呈する弾性をもつ棒状の部材とされ、図１における想像線Ｌ１を基準として線対称に構成される。挿入片１０には、基部１１と、一対の挟着部１２と、一対の先端部１３とが備えられる。これらの基部１１と、一対の挟着部１２と、一対の先端部１３とは、挿入片１０の基端側から先端側に向かって順に配置され、一体的に連続して形成される。
【００２０】
基部１１は、図１における想像線Ｌ１上に中心が位置する円弧状、本実施形態においては優弧状に湾曲されて、図２に示すように、十分な強度をもつように所定の幅Ｗ１を有する平板状に形成される。基部１１は、挿入片１０の先端側が開放するように配置されて、鼻マスク１の鼻５０への装着時に鼻中隔５２の先端部が開放部を通って当該基部１１の内側にちょうど収まる程度の大きさとされる。
【００２１】
図１、図２、図５に示すように、各挟着部１２は、その基端側部１２ａと先端側部１２ｂの境界で鈍角に屈曲されて、基部１１と同じく十分な強度をもつように所定の幅Ｗ１を有する平板状に形成される。基端側部１２ａは、基部１１の各開放端から前記境界まで挿入片１０の先端側に向かって図１における想像線Ｌ１と略平行に延出される。先端側部１２ｂは、前記境界から挿入片１０の先端側に向かって想像線Ｌ１から離間する方向に傾斜した状態で延出される。
【００２２】
各先端部１３は、図５に示すように、その基端側に拡径部１３ａを有し、その拡径部１３ａを除いて略直線状に形成される。各先端部１３は、各挟着部１２の先端側部１２ｂの延出端から挿入片１０の先端側に向かって図１における想像線Ｌ１に近接する方向に傾斜した状態で延出される。つまり、一対の先端部１３は、互いに近接する方向に傾斜するように配置される。また、先端部１３の延出端には、主となる直線部１３ｂよりも若干拡径された抜止部１３ｃが形成される。
【００２３】
こうして、挿入片１０においては、各挟着部１２の基端側部１２ａが、図１における想像線Ｌ１と直交する方向に位置する基部１１の最外径部と、それぞれに先端側部１２ｂを介して連続する先端部１３よりも、想像線Ｌ１に近接する方向に張り出すこととなる。つまり、一対の挟着部１２は、各々の基端側部１２ａで互いに近接する方向に張り出すこととなる。ここで、一対の挟着部１２間の想像線Ｌ１と直交する方向の幅は、一対の鼻口５１間の幅よりも短く設定される。
【００２４】
また、各挟着部１２および各先端部１３が、図１における想像線Ｌ１に近接する方向に付勢されつつ離間する方向に弾性移動可能となる。これにより、図７に示すように、鼻マスク１が先端側から鼻口５１に挿入されて、基部１１の内側に鼻中隔５２の先端部が収まるとき、一対の先端部１３が鼻腔５３に位置する状態で、一対の挟着部１２が鼻中隔５２にて互いに離間する方向に弾性的に拡開されながら、当該鼻中隔５２に挟着されることとなる。
【００２５】
各支持部材２０は、柔軟な傘状の部材とされる。図３、図５に示すように、各支持部材２０には、基部２１と、複数の第一羽部２２と、補強部２３と、複数の第二羽部２４とが備えられる。これらの基部２１と、複数の第一羽部２２と、補強部２３と、複数の第二羽部２４とは、基部２１の周囲に各第一羽部２２と補強部２３と各第二羽部２４とが位置するように配置され、一体的に連続して形成される。
【００２６】
基部２１は、所定の厚みを有する円盤状に形成される。基部２１の外径は、挿入片１０における先端部１３の拡径部１３ａの外径よりも短く設定される。基部２１の厚み、即ちその盤面と直交する方向の幅は、先端部１３の拡径部１３ａと抜止部１３ｃとの間の幅よりも短く設定される。また、基部２１の中心部には、貫通孔２１ａが形成される。この貫通孔２１ａの孔径は、先端部１３の直線部１３ｂの外径と略同一に設定される。
【００２７】
各第一羽部２２は、可撓性をもつ薄板棒状に形成される。第一羽部２２は、基部２１の周方向において所定間隔ごとに配置される。第一羽部２２は、それぞれ基端を基部２１の外周部に連結して、この基部２１の外周部から基部２１の径方向外側に向かって放射状に突出されるとともに、基部２１の盤面と直交する方向の一側に向かって湾曲される。
【００２８】
補強部２３は、可撓性をもつ円環状に形成される。補強部２３の径方向の幅は、第一羽部２２の短手方向の幅と略同一に設定される。補強部２３の厚みは、基部２１の厚みよりも若干薄く、第一羽部２２の厚みと略同一に設定される。また、補強部２３の内径は、基部２１の外径よりも大きく設定される。そして、補強部２３は、基部２１と同心状に配置されて、交差する各第一羽部２２の長手方向の中途部と連結される。
【００２９】
各第二羽部２４は、可撓性をもつ薄板棒状に形成される。第二羽部２４の長手方向の幅は、第一羽部２２の長手方向の幅よりも短く設定される。第二羽部２４は、隣り合う第一羽部２２の間に双方の第一羽部２２から等距離隔てて配置される。第二羽部２４は、それぞれの基端を補強部２３に連結して、この補強部２３から補強部２３の径方向外側、即ち基部２１の径方向外側に向かって放射状に突出されるとともに、基部２１の盤面と直交する方向の一側に向かって湾曲される。
【００３０】
こうして、各支持部材２０においては、基部２１の先端と、互いに隣り合う第一羽部２２と、補強部２３との間に、通気口２０ａが基部２１の盤面と直交する方向に貫通するように形成される。同様に、第一羽部２２と、補強部２３と、この第一羽部２２と隣り合う第二羽部２４との間に、通気口２０ｂが基部２１の盤面と直交する方向に貫通するように形成される。つまり、各支持部材２０に多数の通気口２０ａ・２０ｂが形成される。
【００３１】
また、第一羽部２２と第二羽部２４とが基部２１および補強部２３の周方向に等間隔で交互に配置されて、それぞれの第一羽部２２および第二羽部２４の突出端が基部２１の中心を中心とする仮想円上に位置するように揃えられる。この仮想円の面積は、鼻口５１の開口面積よりも適宜に大きく設定される。そして、第一羽部２２と第二羽部２４は、鼻マスク１が先端側から鼻口５１に挿入されたとき、それぞれの突出側で鼻腔５３の内面に接触して、基部２１に近接するように撓むこととなる。
【００３２】
フィルタ３０は、花粉や塵埃などを含む空気を濾過する繊維フィルタで構成され、図３、図４に示すように、円盤状に形成される。フィルタ３０の半径は、支持部材２０の基部２１の半径と第一羽部２２の長手方向の幅とを足し合わせたものよりも小さく、かつ補強部２３の半径よりも大きく設定される。また、フィルタ３０の中心部には、図５に示すように、貫通孔３０ａが形成される。この貫通孔３０ａの孔径は、先端部１３の直線部１３ｂの外径と略同一に設定される。
【００３３】
ここで、フィルタ３０は、吸水性を有するフィルタ３１を含む、二層または三層のフィルタで構成することも可能となっている。例えば、図６（ａ）に示すように、フィルタ３０は、吸水性を有するフィルタ３１を防塵用のフィルタ３２に重ねて、二層のフィルタで構成することが可能となっている。あるいは、図６（ｂ）に示すように、フィルタ３０は、吸水性を有するフィルタ３１をその両側から防塵用のフィルタ３２により挟んで、三層のフィルタで構成することが可能となっている。
【００３４】
このような構成において、挿入片１０の先端部１３の抜止部１３ｃがフィルタ３０の貫通孔３０ａに強いて挿入され、つづいて直線部１３ｂが拡径部１３ａとフィルタ３０とが当接するまで当該貫通孔３０ａに挿入される。次に、挿入片１０の先端部１３の抜止部１３ｃが支持部材２０の基部２１の貫通孔２１ａに強いて挿入され、つづいて直線部１３ｂが、拡径部１３ａに当接したフィルタ３０と基部２１とが当接するまで、当該貫通孔２１ａに挿入される。これにより、フィルタ３０が挿入片１０の先端部１３に嵌合されて取り付けられる。同時に、支持部材２０が、第一羽部２２が先端部１３側、即ち挿入片１０の基端側に湾曲するように、先端部１３に嵌合されて取り付けられる。
【００３５】
このような支持部材２０およびフィルタ３０の挿入片１０への取り付けが当該挿入片１０の両先端部１３で行われて、鼻マスク１が組み立てられる。その結果、両支持部材２０が、図１における想像線Ｌ１を挟んで所定間隔をとって並べられて、この想像線Ｌ１に近接する方向に、即ち互いに近接する方向に傾斜するように配置される。また、フィルタ３０が挿入片１０の先端部１３と支持部材２０とに挟まれながら、この支持部材２０の外周部よりも内側で当該支持部材２０の各部に沿って配置される。つまり、支持部材２０がフィルタ３０と積層されて、フィルタ３０よりも挿入片１０の先端側に配置される。そのうえで、この支持部材２０の第一羽部２２および第二羽部２４がフィルタ３０の外周部よりも支持部材２０およびフィルタ３０の径方向外側に突出される。
【００３６】
そして、鼻マスク１が使用される場合には、図７に示すように、この鼻マスク１がその先端側から、即ち挿入片１０の先端部１３に取り付けられた各支持部材２０および各フィルタ３０から鼻口５１に挿入される。鼻マスク１が所定量だけ挿入されると、鼻中隔５２が挿入片１０基部１１の内側に収まって、一対の挟着部１２が鼻腔５３（鼻前庭）で鼻中隔５２にその両側から挟着され、挿入片１０ひいては各支持部材２０および各フィルタ３０が鼻に対して固定される。
【００３７】
この固定時には、各支持部材２０の第一羽部２２および第二羽部２４が鼻腔５３の内面に追従して撓みながら、これらの第一羽部２２および第二羽部２４の一部、即ちその突出側のみが鼻腔５３の内面に接触するとともに、これらの第一羽部２２および第二羽部２４の基端側と基部２１と補強部２３とが鼻腔５３に臨むように配置される。こうして、鼻マスク１が鼻５０に装着されて、空気中の花粉や塵埃などが鼻口５１を通じて鼻腔５３に侵入することが防止される。
【００３８】
なお、支持部材２０の第一羽部２２および第二羽部２４の突出側が接触する鼻腔５３の内面の位置は、挿入片１０の図１における想像線Ｌ１の線方向の幅を変更することによって、鼻腔５３をできるだけ刺激しないように適宜に設定される。また、鼻マスク１は、一度使用した後、洗浄して再利用することが可能となっている。
【００３９】
以上のように、本考案の一実施形態に係る鼻マスク１は、鼻５０への装着時に鼻口５１に先端側から挿入されて、空気中の花粉や塵埃などの鼻腔５３への侵入を防止するために使用されるものであって、円弧状の基部１１と、この基部１１の二つの開放端から先端側に向かって延出されて互いに近接する方向に張り出す一対の挟着部１２と、この各挟着部１２側から先端側に向かって延出されて互いに近接する方向に傾斜する一対の先端部１３とを有し、この一対の挟着部１２で鼻中隔５２に挟着される弾性をもつ棒状の挿入片１０と、円盤状の基部２１と、この基部２１から放射状に突出される可撓性をもつ複数の羽部２２・２４とを有し、この基部２１が挿入片１０の先端部１３に取り付けられて、互いに近接する方向に傾斜する一対の傘状の柔軟な支持部材２０と、挿入片１０の先端部１３に取り付けられて、この先端部１３の一部と支持部材２０とに挟まれながら、この支持部材２０の外周部よりも内側で当該支持部材２０に沿って配置されるフィルタ３０とを備えるものとされる。
【００４０】
これにより、鼻マスク１を鼻５０に装着したとき、フィルタ３０または支持部材２０の全外周部が鼻腔５３の内面に接触するのではなく、支持部材２０の一部、即ち両羽部２２・２４の突出側のみが鼻腔５３の内面に接触することとなる。つまり、鼻マスク１のフィルタ３０またはその周辺部と鼻腔５３の内面との接触面積が、前述の従来のような鼻マスクに比べて小さくなる。したがって、鼻マスク１の装着時に違和感のない自然な装着感を得て、鼻マスク１の鼻５０への装着性を向上させることができる。
【００４１】
そのうえ、フィルタ３０および支持部材２０が鼻中隔５２寄りに配置されることとなる。したがって、フィルタ３０および支持部材２０を鼻口５１に挿入しやすくすることができる。同時に、鼻口５１に挿入された挿入片１０を鼻中隔５２に確実に挟着させて、鼻マスク１を鼻口５１から抜け落ちにくくすることができる。
【００４２】
本考案の一実施形態に係る鼻マスク１は、さらにフィルタ３０は、吸水性を有するフィルタ３１を含む、二層または三層のフィルタで構成するものとされる。
【００４３】
これにより、鼻マスク１を鼻５０に装着したとき、鼻水を吸水性を有するフィルタ３１により吸収することが可能となる。したがって、鼻水が出た場合に鼻マスク１の装着感が悪化することを防止することができる。しかも、鼻水が鼻口５１から外部へ漏出することを防止することができる。
【００４４】
また、前述のような鼻マスク１は、図８から図１０に示すように、複数個を一組としてケース４０に収納される。ケース４０は、複数の鼻マスク１を並置可能な大きさを有する中空の直方体状の部材とされ、一面を開口する箱状のケース本体４１と、一面を開口する箱状の蓋体４２とで構成される。ケース本体４１と蓋体４２とは、ヒンジ部４０ａにより互いの開口４１ａ・４２ａが対向可能なように連結される。こうして、蓋体４２がヒンジ部４０ａを介してケース本体４１に対して回動可能とされて、ケース本体４１の開口４１ａが蓋体４２により開閉可能に覆われる。
【００４５】
ケース本体４１において、ヒンジ部４０ａと開口４１ａを挟んで対向する位置には、第一係止爪４１ｃが設けられる。一方、蓋体４２おいて、ヒンジ部４０ａと開口４２ａを挟んで対向する位置には、第二係止爪４２ｃが設けられる。そして、ケース本体４１の開口４１ａが蓋体４２により閉じられたとき、蓋体４２の第二係止爪４２ｃがケース本体４１の第一係止爪４１ｃに解除可能に係合されて、ケース本体４１の開口４１ａの被覆状態が維持される。
【００４６】
ケース本体４１内では、一つまたは複数の略平板状の取付壁４３が、ケース本体４１の開口４１ａと対向する面４１ｂに立設され、このケース本体４１の長手方向に所定間隔ごとに配置される。隣り合う取付壁４３の間隔は、複数の鼻マスク１を重ねずに並べることができる間隔に設定される。取付壁４３の高さは、当該取付壁４３の開口側端面が開口４１ａの縁部面と略同一平面上に位置するように設定される。この取付壁４３の開口側端面には、一対の嵌合溝４３ａが鼻マスク１における挿入片１０の一対の挟着部１２とそれぞれ嵌合可能に形成される。
【００４７】
一方、蓋体４２内では、一つまたは複数の略平板状の保持壁４４が、蓋体４２の開口４２ａと対向する面４２ｂに立設され、この蓋体４２の長手方向に所定間隔ごとに配置される。保持壁４４の高さは、当該保持壁４４の開口側端面が開口４２ａの縁部面と略同一平面上に位置するように設定される。この保持壁４４の開口側端面には、一対の突起４４ａが形成される。そして、ケース本体４１の開口４１ａが蓋体４２により閉じられたとき、一対の突起４４ａが一対の嵌合溝４３ａと対向するように、一つの保持壁４４の開口側端面が一つの取付壁４３の開口側端面と当接可能とされる。
【００４８】
このような構成において、ケース本体４１の第一係止爪４１ｃと蓋体４２の第二係止爪４２ｃとの係合が解除され、ケース本体４１の開口４１ａが開かれる。そして、鼻マスク１における挿入片１０の各挟着部１２がケース本体４１の取付壁４３の嵌合溝４３ａに嵌合されて、ケース本体４１内で所定位置に保持される。その後、ケース本体４１の開口４１ａが蓋体４２により閉じられて、蓋体４２の第二係止爪４２ｃがケース本体４１の第一係止爪４１ｃに係合されると、蓋体４２の各保持壁４４の開口側端面がケース本体４１の各取付壁４３の開口側端面と当接されて、挿入片１０の各挟着部１２が各突起４４ａで押されながら、取付壁４３および保持壁４４で挟まれる。結果として、鼻マスク１は、複数あれば先端側を同一方向として取付壁４３に取り付けられて、保持壁４４にて取付壁４３の嵌合溝４３ａから抜けることがないように所定位置に保持され、その状態でケース４０に収納される。
【００４９】
以上のように、本考案の一実施形態に係るケースは、前述鼻マスク１を収納するものであって、一面を開口する箱状のケース本体４１と、一面を開口する箱状の蓋体４２とをヒンジ部４０ａにより連結して、このケース本体４１の開口を蓋体４２により開閉可能とし、一つまたは複数の略平板状の取付壁４３をケース本体４１の開口４１ａと対向する面に立設して、鼻マスク１における挿入片１０の一対の挟着部１２と嵌合可能な一対の嵌合溝４３ａを、この取付壁４３の開口側端面に形成し、一つまたは複数の略平板状の保持壁４４を蓋体４２の開口４２ａと対向する面に立設して、この保持壁４４の開口側端面をケース本体４１の取付壁４３の開口側端面と当接可能とし、挿入片１０の一対の挟着部１２を取付壁４３の一対の嵌合溝４３ａに嵌合させたうえで、ケース本体４１の開口４１ａが蓋体４２により閉じられたとき、保持壁４４の開口側端面をケース本体４１の取付壁４３の開口側端面に当接させて、この挿入片１０の一対の挟着部１２を当該取付壁４３と保持壁４４とで挟み、鼻マスク１を所定位置に保持するものとされる。
【００５０】
これにより、鼻マスク１をケース４０に収納した状態では、フィルタ３０や支持部材２０の両羽部２２・２４にゴミなどが付着しなくなる。したがって、鼻マスク１をそのフィルタ３０や支持部材２０の両羽部２２・２４にゴミなどが付着した状態で使用せずに済み、鼻マスク１を鼻５０に装着したとき、ゴミなどの付着による不快感が生じるのを防止することができる。そのうえ、鼻マスク１を取付壁４３に対して簡単に着脱して、複数の鼻マスク１をケース４０内にコンパクトに収納することができる。また、ケース４０が持ち運ばれる際などに、鼻マスク１がケース４０内で移動して変形することを防止することができる。
【符号の説明】
【００５１】
１    鼻マスク
１０  挿入片
１１  基部
１２  挟着部
１３  先端部
２０  支持部材
２１  基部
２２  第一羽部
２３  補強部
２４  第二羽部
３０  フィルタ
３１  フィルタ
４０  ケース
４１  ケース本体
４１ａ  開口
４２  蓋体
４２ａ  開口
４３  取付壁
４３ａ  嵌合溝
４４  保持壁
５０  鼻
５１  鼻口
５３  鼻腔
【図１】
0003153554.tif 000003
【図２】
0003153554.tif 000004
【図３】
0003153554.tif 000005
【図４】
0003153554.tif 000006
【図５】
0003153554.tif 000007
【図６】
0003153554.tif 000008
【図７】
0003153554.tif 000009
【図８】
0003153554.tif 000010
【図９】
0003153554.tif 000011
【図１０】
0003153554.tif 000012